(57)【要約】【課題】トラヒック量の変動にかかわらず、複数の撮影装置で撮影された映像を表示装置に安定的に表示させる。【解決手段】監視システムＳは、被写体を撮影する複数の撮影装置１と、複数の撮影装置１によって撮影された被写体の映像を表示する表示装置２と、を備える。表示装置２は、複数の撮影装置から送信された複数の前記映像のトラヒック量を測定する測定部２２と、トラヒック量に基づいて、複数の撮影装置が表示装置２に送信する映像の画質を制御する画質制御部２６と、複数の撮影装置１から送信された複数の映像を、表示画面を分割した複数の分割画面に表示させる表示制御部２３と、を有する。【選択図】図２
2015005843.tif 000002
【特許請求の範囲】
【請求項１】
被写体を撮影する複数の撮影装置と、前記複数の撮影装置によって撮影された前記被写体の映像を表示する表示装置と、を備える監視システムであって、
前記表示装置は、
前記複数の撮影装置から送信された複数の前記映像のトラヒック量を測定する測定部と、
前記トラヒック量に基づいて、前記複数の撮影装置が前記表示装置に送信する前記映像の画質を制御する画質制御部と、
前記複数の撮影装置から送信された複数の前記映像を、表示画面を分割した複数の分割画面に表示させる表示制御部と、
を有する、
監視システム。
【請求項２】
前記画質制御部は、前記複数の映像のうち所定条件を満たす映像の画質を、前記所定条件を満たさない映像の画質よりも高くする、
請求項１に記載の監視システム。
【請求項３】
前記表示制御部は、前記トラヒック量に基づいて、前記表示画面の分割数を決定する、
請求項１又は２に記載の監視システム。
【請求項４】
前記画質制御部は、前記複数の撮影装置のうち、予め関連付けられた複数の撮影装置の画質を連動して変化させる、
請求項１から３のいずれか１項に記載の監視システム。
【請求項５】
映像を撮影する複数の撮影装置と、前記複数の撮影装置によって撮影された前記映像を表示する表示装置と、前記表示装置に表示させる前記映像の画質を制御する映像制御装置と、を備える監視システムであって、
前記映像制御装置は、
前記撮影装置から送信される前記映像のトラヒック量を測定する測定部と、
前記トラヒック量を所定の閾値と比較した結果に基づいて、前記映像の画質を制御する画質制御部と、
を有し、
前記表示装置は、前記複数の撮影装置から送信された複数の前記映像を、表示画面を分割した複数の分割画面に表示させる表示制御部を有する、
監視システム。
【請求項６】
複数の撮影装置から送信される映像のトラヒック量を測定する測定部と、
前記トラヒック量を所定の閾値と比較した結果に基づいて、前記複数の撮影装置が送信する前記映像の画質を制御する画質制御部と、
前記複数の撮影装置から送信された複数の前記映像を、表示画面を分割した複数の分割画面に表示させる表示制御部と、
を備える表示装置。
【請求項７】
コンピュータを、
複数の撮影装置から送信される映像のトラヒック量を測定する測定部、
前記トラヒック量を所定の閾値と比較した結果に基づいて、前記複数の撮影装置が送信する前記映像の画質を制御する画質制御部、及び
前記複数の撮影装置から送信された複数の前記映像を、表示画面を分割した複数の分割画面に表示させる表示制御部、
として機能させるための表示用プログラム。
【請求項８】
複数の撮影装置で撮影された映像を表示する表示装置に対して前記複数の撮影装置から送信される前記映像のトラヒック量を測定する測定部と、
前記トラヒック量を所定の閾値と比較した結果に基づいて、前記複数の撮影装置が前記表示装置に送信する前記映像の画質を制御する画質制御部と、
を備える、
映像制御装置。
【発明の詳細な説明】
【技術分野】
【０００１】
本発明は、複数の撮影装置で撮影された映像を表示するための監視システム、表示装置、表示用プログラム及び映像制御装置に関する。
【背景技術】
【０００２】
従来、複数の場所において撮影された複数の映像を表示装置の分割画面に表示し、これらの映像を監視可能とする監視システムが知られている（例えば、特許文献１参照）。
【先行技術文献】
【特許文献】
【０００３】
【特許文献１】特開２００７−２１４８３１号公報
【発明の概要】
【発明が解決しようとする課題】
【０００４】
ところで、近年、撮影装置が撮影する映像の画素数が大きくなっている。また、表示装置の解像度が高くなっているので、分割画面の分割数も増えている。さらに、映像は圧縮形式で送信されるため、フレーム数及び画素数が一定であっても、当該映像のトラヒックが変化する場合がある。
【０００５】
このため、撮影装置から表示装置に伝送される複数の映像のトラヒック量が増加して通信回線の伝送容量を超えてしまい、不特定の撮影装置で撮影された映像の表示が乱れる場合がある。また、表示装置における分割画面数を多くすると、表示装置で処理すべき映像のデータ量が増加し、表示装置における処理負担が増加してしまう。これにより、表示装置に映像を正常に表示することができなくなるという問題が生じる場合がある。
【０００６】
本発明はこれらの点に鑑みてなされたものであり、トラヒック量の変動にかかわらず、複数の撮影装置で撮影された映像を表示装置に安定的に表示させることができる監視システム、表示装置、表示用プログラム及び映像制御装置を提供することを目的とする。
【課題を解決するための手段】
【０００７】
上記課題を解決するために、本発明に係る監視システムは、被写体を撮影する複数の撮影装置と、前記複数の撮影装置によって撮影された前記被写体の映像を表示する表示装置と、を備える監視システムであって、前記表示装置は、前記複数の撮影装置から送信された複数の前記映像のトラヒック量を測定する測定部と、前記トラヒック量に基づいて、前記複数の撮影装置が前記表示装置に送信する前記映像の画質を制御する画質制御部と、前記複数の撮影装置から送信された複数の前記映像を、表示画面を分割した複数の分割画面に表示させる表示制御部と、を有することを特徴とする。
【０００８】
また、本発明に係る監視システムでは、前記画質制御部は、前記複数の映像のうち所定条件を満たす映像の画質を、前記所定条件を満たさない映像の画質よりも高くしてもよい。また、本発明に係る監視システムでは、前記表示制御部は、前記トラヒック量に基づいて、前記表示画面の分割数を決定してもよい。また、本発明に係る監視システムでは、前記画質制御部は、前記複数の撮影装置のうち、予め関連付けられた複数の撮影装置の画質を連動して変化させてもよい。
【０００９】
本発明に係る監視システムは、映像を撮影する複数の撮影装置と、前記複数の撮影装置によって撮影された前記映像を表示する表示装置と、前記表示装置に表示させる前記映像の画質を制御する映像制御装置と、を備える監視システムであって、前記映像制御装置は、前記撮影装置から送信される前記映像のトラヒック量を測定する測定部と、前記トラヒック量を所定の閾値と比較した結果に基づいて、前記複数の撮影装置が前記表示装置に送信する前記映像の画質を制御する画質制御部と、を有し、前記表示装置は、前記複数の撮影装置から送信された複数の前記映像を、表示画面を分割した複数の分割画面に表示させる表示制御部を有することを特徴とする。
【００１０】
また、本発明に係る表示装置は、複数の撮影装置から送信される映像のトラヒック量を測定する測定部と、前記トラヒック量を所定の閾値と比較した結果に基づいて、前記複数の撮影装置が送信する前記映像の画質を制御する画質制御部と、前記複数の撮影装置から送信された複数の前記映像を、表示画面を分割した複数の分割画面に表示させる表示制御部と、を備えることを特徴とする。
【００１１】
また、本発明に係る表示用プログラムは、コンピュータを、複数の撮影装置から送信される映像のトラヒック量を測定する測定部、前記トラヒック量を所定の閾値と比較した結果に基づいて、前記複数の撮影装置が送信する前記映像の画質を制御する画質制御部、及び前記複数の撮影装置から送信された複数の前記映像を、表示画面を分割した複数の分割画面に表示させる表示制御部、として機能させることを特徴とする。
【００１２】
また、本発明に係る映像制御装置は、複数の撮影装置で撮影された映像を表示する表示装置に対して前記複数の撮影装置から送信される前記映像のトラヒック量を測定する測定部と、前記トラヒック量を所定の閾値と比較した結果に基づいて、前記複数の撮影装置が前記表示装置に送信する前記映像の画質を制御する画質制御部と、を備えることを特徴とする。
【発明の効果】
【００１３】
本発明によれば、トラヒック量の変動にかかわらず、複数の撮影装置で撮影された映像を表示装置に安定的に表示させることができるという効果を奏する。
【図面の簡単な説明】
【００１４】
【図１】第１の実施形態に係る監視システムの概要図である。
【図２】第１の実施形態に係る撮影装置及び表示装置の機能構成図である。
【図３】第１の実施形態に係る監視システムにおけるトラヒック量の変化を示す図である。
【図４Ａ】第１の実施形態に係る表示部の表示画面が１６個の分割画面に分割された状態を示す図である。
【図４Ｂ】第１の実施形態に係る表示部の表示画面が９個の分割画面に分割された状態を示す図である。
【図５】第１の実施形態に係る監視システムにおける通信シーケンスの一例を示す図である。
【図６】第２の実施形態に係る監視システムの概要図である。
【図７】第２の実施形態に係る撮影装置、表示装置及び映像制御装置の機能構成図である。
【図８】第３の実施形態に係る撮影装置、表示装置及び映像制御装置の機能構成図である。
【発明を実施するための形態】
【００１５】
以下、本発明の実施形態について説明する。
＜第１の実施形態＞
［監視システムＳの概要］
図１は、第１の実施形態に係る監視システムＳの概要図である。
監視システムＳは、複数の撮影装置１（撮影装置１−１、撮影装置１−２、・・・、撮影装置１−ｉ、ただしｉは３以上の自然数）と、表示装置２と、ルータ３とを備える。
【００１６】
複数の撮影装置１とルータ３とは、例えば店舗に設置されており、表示装置２は、例えば複数の撮影装置１が撮影した映像を監視する監視施設に設置されている。複数の撮影装置１は、ルータ３と、インターネット等のネットワークＮとを介して、表示装置２と通信可能に接続されている。
【００１７】
複数の撮影装置１は、被写体を撮影し、撮影された被写体の映像を、ルータ３及びネットワークＮを介して表示装置２に送信する。表示装置２は、複数の映像のトラヒック量を測定し、当該トラヒック量に基づいて、撮影装置１が撮影する映像の画質を制御するための画質制御信号を、ネットワークＮ及びルータ３を介して複数の撮影装置１に送信する。複数の撮影装置１は、画質制御信号を受信すると、表示装置２に送信する映像の画質を調整する。
【００１８】
［撮影装置１及び表示装置２の構成例］
続いて、撮影装置１が備える機能について説明する。図２は、第１の実施形態に係る撮影装置１及び表示装置２の機能構成図である。図２では、ルータ３及びネットワークＮを省略して説明を行う。
【００１９】
複数の撮影装置１は、撮影部１１と、送信部１２と、受信部１３と、画質調整部１４とを備える。
撮影部１１は、レンズ及びＣＣＤ（電荷結合素子）等により構成される。撮影部１１は、被写体を撮影し、被写体の映像を取得する。具体的には、撮影部１１は、後述の画質調整部１４の制御に応じてフレームレート及び画素数の少なくともいずれかを調整して被写体を撮影する。
【００２０】
送信部１２は、撮影部１１が撮影した映像を表示装置２に送信する。受信部１３は、表示装置２から画質制御信号を受信する。受信部１３は、表示装置２から、表示装置２に対する映像の送信を開始させる送信開始信号と、表示装置２に対する映像の送信を停止させる送信停止信号とを、表示装置２から受信する。送信部１２は、受信部１３が送信開始信号を受信すると、映像の送信を開始し、受信部１３が送信停止信号を受信すると、映像の送信を停止する。
【００２１】
画質調整部１４は、後述の画質制御部２６の制御に応じて、表示装置２に送信する映像の画質を調整する。具体的には、画質調整部１４は、受信部１３が後述の画質制御部２６が生成した画質制御信号を受信すると、当該画質制御信号に基づいて撮影部１１のフレームレート及び画素数の少なくともいずれかを調整する。
【００２２】
続いて、表示装置２が備える機能について説明する。図２に示すように、表示装置２は、制御部（不図示）と、表示部２４と、操作部２５とを備える。制御部は、表示装置２が記憶する表示用プログラムを実行することにより、表示装置２を、受信部２１と、測定部２２と、表示制御部２３と、画質制御部２６と、送信部２７として機能させる。
【００２３】
受信部２１は、複数の撮影装置１から送信された映像を受信する。
測定部２２は、受信部２１が受信した映像の受信量に基づいて、複数の撮影装置１から送信された複数の映像のトラヒック量を測定する。
【００２４】
表示制御部２３は、受信部２１が受信した、複数の撮影装置１から送信された複数の映像を、表示部２４の表示画面を分割した複数の分割画面に表示させる。ここで、表示部２４は、例えば、液晶ディスプレイや有機ＥＬ（Electro-Luminescence）ディスプレイ等により構成される。
【００２５】
表示制御部２３は、表示装置２のユーザから操作部２５を介して、表示画面の分割数を変更する操作入力が行われたことに応じて、表示画面の分割数を変更する。具体的には、表示制御部２３は、表示部２４に表示する映像数が分割数の変更によって増加した場合、送信部２７を介して、増加した映像を撮影している撮影装置１に送信開始信号を送信する。また、表示制御部２３は、表示部２４に表示する映像数が分割数の変更によって減少した場合、送信部２７を介して、減少して表示部２４に表示されなくなった映像を撮影している撮影装置１に送信停止信号を送信する。
【００２６】
画質制御部２６は、測定部２２が測定したトラヒック量に基づいて、複数の撮影装置１が表示装置２に送信する映像の画質を制御する。具体的には、画質制御部２６は、測定されたトラヒック量が、所定の閾値を所定時間以上継続して超えたか否かを判定する。そして、画質制御部２６は、所定の閾値を所定時間以上継続して超えたと判定した場合、複数の撮影装置１が撮影する映像の画質を低く調整するための画質制御信号を生成する。そして、画質制御部２６は、送信部２７を介して、生成した画質制御信号を表示部２４に現在表示されている映像を撮影する撮影装置１に送信する。
【００２７】
ここで、映像の画質を低く調整する画質制御信号には、例えば、現在受信している映像の画面解像度に比べて低い画面解像度を示す情報、及び現在受信している映像のフレームレートに比べて低いフレームレートを示す情報の少なくともいずれかが含まれている。例えば、画質制御部２６は、表示部２４に表示されている複数の映像の画面解像度が、ＶＧＡ（Video Graphics Array）（画素数６４０×４８０）である場合において、トラヒック量が所定の閾値を所定時間以上継続して超えた場合、画面解像度をＱＶＧＡ（Quarter-VGA）（画素数３２０×２４０）に変更する旨を示す画質制御信号を生成してもよい。また、画質制御部２６は、表示部２４に表示されている複数の映像のフレームレートが３０ＦＰＳである場合において、トラヒック量が所定の閾値を所定時間以上継続して超えた場合、フレームレートを２０ＦＰＳに変更してもよい。
【００２８】
図３は、第１の実施形態に係る監視システムＳにおけるトラヒック量の変化例を示す図である。例えば、表示部２４に表示されている複数の映像のフレームレートが３０ＦＰＳである場合において、映像のデータ量が増加することによりトラヒック量が増加し、トラヒック量が時刻ｔ１に所定の閾値を超えたとする。そして、時刻ｔ１から、所定時間が経過した時刻ｔ２となると、画質調整部１４は、フレームレートを２０ＦＰＳに変更する旨を示す画質制御信号を撮影装置１に送信する。撮影部１１の画質調整部１４は、画質制御信号を受信したことに応じて、映像のフレームレートを２０ＦＰＳに調整する。これにより、トラヒック量が、所定の閾値に比べて低くなる。
【００２９】
なお、画質制御部２６は、全ての撮影装置１に画質制御信号を送信してもよい。また、画質制御部２６は、当該画質制御信号を送信した後、測定されたトラヒック量が第２の所定値を下回った場合、複数の撮影装置１が撮影する映像の画質を高く調整するための画質制御信号を生成し、送信部２７を介して撮影装置１に送信してもよい。ここで、映像の画質を高く調整する画質制御信号には、例えば、現在受信している映像の画像解像度に比べて高い画面解像度を示す情報、及び現在受信している映像のフレームレートに比べて低いフレームレートを示す情報の少なくともいずれかを多くする情報が含まれている。
【００３０】
また、表示制御部２３は、画質制御部２６が生成した画質制御信号が複数の撮影装置１に送信されてから測定部２２が測定したトラヒック量に基づいて、表示部２４の表示画面の分割数を決定してもよい。具体的には、表示制御部２３は、画質制御部２６が生成した画質制御信号が複数の撮影装置１に送信されてから測定部２２が測定したトラヒック量が所定の閾値を所定時間以上継続して超えたか否かを判定する。表示制御部２３は、所定の閾値を所定時間以上継続して超えたと判定した場合、表示画面の分割数を減少させる。そして、表示制御部２３は、送信部２７を介して、表示画面に表示されなくなった撮影装置１に対して、表示装置２への映像の送信を停止させる送信停止信号を送信する。
【００３１】
また、画質制御部２６は、表示部２４に表示されている複数の映像のうち、所定条件を満たす映像の画質を、所定条件を満たさない映像よりも高くしてもよい。ここで、所定条件とは、例えば、表示装置２のユーザから操作部２５を介して一の映像の選択を受け付けたこと、又は不審者が映る等の異常を検出したことである。なお、異常の検出は、例えば、測定部２２によって行われるものとする。
【００３２】
例えば、図４Ａに示すように、表示部２４に表示されている１６個の分割画面に１６台の撮影装置１のそれぞれで撮影された、画面解像度がＱＶＧＡの映像が表示されている場合において、分割画面Ｄ１１に係る映像について、画質制御部２６が不審者の映像を検出したか、表示装置２のユーザによって操作部２５を介して選択されたとする。この場合、画質制御部２６は、分割画面Ｄ１１に表示されている映像の画面解像度を、例えば、メガピクセルの画面解像度（例えば、ＳＸＧＡ（Super-XGA）等）に変更する旨を示す画質制御信号を生成し、送信部２７を介して、分割画面Ｄ１１に表示される映像を撮影する撮影装置１に送信する。ここで、表示制御部２３は、画質が調整された映像を、表示部２４においてポップアップ表示させてもよい。
【００３３】
また、画質制御部２６は、複数の撮影装置１のうち、予め関連付けられた複数の撮影装置１の画質を連動して変化させてもよい。ここで、図４Ａに示す１６個の分割画面Ｄ１〜Ｄ１６において、隣接する画面に表示される映像は、隣接する撮影装置１によって撮影されたものとする。この場合、例えば、分割画面Ｄ１１に表示される映像を撮影する撮影装置１は、分割画面Ｄ６〜８、Ｄ１０、Ｄ１２、Ｄ１４〜１６に表示される映像を撮影する撮影装置１の周囲に設置されているものとする。
【００３４】
画質制御部２６は、例えば、分割画面Ｄ１１に表示されている映像において異常が検出されると、当該映像を表示する撮影装置１に隣接する複数の撮影装置１の画質を高く調整する。すなわち、画質制御部２６は、画面解像度をＱＶＧＡからＶＧＡに変更する旨を示す画質制御信号を生成し、送信部２７を介して、分割画面Ｄ６〜８、Ｄ１０〜Ｄ１２、Ｄ１４〜１６に表示される映像を撮影する撮影装置１に送信する。これにより、分割画面Ｄ６〜８、Ｄ１０〜Ｄ１２、Ｄ１４〜１６に表示される映像が拡大され、表示制御部２３は、表示部２４に表示される分割画面を、図４Ｂに示すように、９個の分割画面Ｄ６〜８、Ｄ１０〜Ｄ１２、Ｄ１４〜１６に変更する。
【００３５】
送信部２７は、画質制御部２６の制御に応じて、画質制御部２６が生成した画質制御信号を複数の撮影装置１に送信する。また、送信部２７は、表示制御部２３の制御に応じて、表示制御部２３が生成した送信開始信号及び送信停止信号を複数の撮影装置１に送信する。
【００３６】
［監視システムＳの通信シーケンス］
図５は、第１の実施形態に係る監視システムＳにおける通信シーケンスの一例を示す図である。
まず、複数の撮影装置１の撮影部１１が被写体を撮影する（Ｓ１）。続いて、複数の撮影装置１の送信部１２は、被写体の映像を表示装置２に送信する。
【００３７】
続いて、受信部２１が映像を受信すると、測定部２２は、受信部２１が受信した映像の受信量に基づいて、複数の撮影装置１から送信された複数の映像のトラヒック量を測定する（Ｓ２）。
【００３８】
続いて、画質制御部２６は、測定されたトラヒック量が、所定の閾値を所定時間以上継続して超えたか否かを判定する（Ｓ３）。そして、画質制御部２６は、所定の閾値を所定時間以上継続して超えたと判定した場合、複数の撮影装置１が撮影する映像の画質を低く調整するための画質制御信号を生成し、送信部２７を介して送信する。
【００３９】
複数の撮影装置１の受信部１３が画質制御信号を受信すると、画質調整部１４は、当該画質制御信号に基づいて撮影部１１のフレームレート及び画素数の少なくともいずれかを調整する（Ｓ４）。
【００４０】
［第１の実施形態における効果］
以上のとおり、第１の実施形態に係る監視システムＳは、測定したトラヒック量に基づいて撮影装置１が撮影する映像の画質を調整するので、トラヒック量の変動にかかわらず、複数の撮影装置１で撮影された映像を表示装置２に安定的に表示させることができる。
【００４１】
また、表示装置２の画質制御部２６は、複数の映像のうち所定条件を満たす映像の画質を、所定条件を満たさない映像の画質よりも高くするので、例えば、表示装置２のユーザが注目したい映像の画質を高くして、当該ユーザに当該映像の詳細を確認させることができる。
【００４２】
また、表示装置２の表示制御部２３は、トラヒック量に基づいて、表示画面の分割数を変更するので、例えば、表示装置２における映像の表示に係る処理負荷を軽減し、表示画面に継続して表示される映像を安定的に表示させることができる。
【００４３】
また、表示装置２の画質制御部２６は、複数の撮影装置１のうち、予め関連付けられた複数の撮影装置１の画質を連動して変化させる。よって、表示装置２の画質制御部２６は、表示装置２における映像の表示に係る処理負荷の増加を抑えつつ、異常を検知した映像を撮影している撮影装置１の周辺の撮影装置１で撮影された映像についても、表示装置２のユーザに詳細を確認させることができる。
【００４４】
＜第２の実施形態＞
［映像制御装置４が画質を調整する］
続いて、第２の実施形態について説明する。第２の実施形態は、表示装置２の代わりに映像制御装置４が、複数の撮影装置１が撮影する映像の画質を調整する点で第１の実施形態と異なり、その他の点では同じである。
【００４５】
［監視システムＳの概要］
図６は、第２の実施形態に係る監視システムＳの概要図である。
監視システムＳは、複数の撮影装置１と、表示装置２と、ルータ３と、映像制御装置４とを備える。
【００４６】
複数の撮影装置１と、ルータ３と、映像制御装置４とは、例えば店舗に設置されており、表示装置２は、例えば撮影装置１が撮影した映像を監視する監視施設に設置されている。複数の撮影装置１と映像制御装置４とは、ルータ３を介して通信可能に接続されている。また、複数の撮影装置１と映像制御装置４とは、ルータ３と、インターネット等のネットワークＮとを介して、表示装置２と通信可能に接続されている。
【００４７】
複数の撮影装置１は、被写体を撮影し、撮影された被写体の映像を、ルータ３を介して映像制御装置４に送信するとともに、ルータ３及びネットワークＮを介して表示装置２に送信する。映像制御装置４は、受信した映像のトラヒック量を測定する。そして、映像制御装置４は、当該トラヒック量に基づいて、撮影装置１が撮影する画質を制御するための画質制御信号を、ルータ３を介して複数の撮影装置１に送信する。複数の撮影装置１は、画質制御信号を受信すると、表示装置２に送信する映像の画質を調整する。
【００４８】
［撮影装置１、表示装置２及び映像制御装置４の構成例］
続いて、撮影装置１が備える機能について説明する。図７は、第２の実施形態に係る撮影装置１、表示装置２及び映像制御装置４の機能構成図である。図７では、ルータ３及びネットワークＮを省略して説明を行う。
【００４９】
複数の撮影装置１は、撮影部１１と、送信部１２と、受信部１３と、画質調整部１４とを備える。
撮影部１１は、被写体を撮影し、被写体の映像を取得する。具体的には、撮影部１１は、表示装置２に送信する映像と、映像制御装置４に送信する映像とを取得する。ここで、映像制御装置４に送信される映像の画質は、最高画質であり、調整が行われない。他方、表示装置２に送信される映像の画質は、映像制御装置４によって制御される。ここで、最高画質とは、撮影装置１が出力し得る画面解像度及びフレームレートのうち、最も高い画面解像度及びフレームレートである。例えば、最高画質の映像は、画面解像度がメガピクセルの解像度で、フレームレートが３０ＦＰＳの映像が最高画質の映像である。
【００５０】
送信部１２は、表示装置２及び映像制御装置４に、それぞれ異なる画質の映像を送信する。具体的には、送信部１２は、以下に示すように表示装置２に映像を送信する。すなわち、送信部１２は、受信部１３が表示装置２に対する映像の送信を開始させる送信開始信号を表示装置２から受信すると、映像制御装置４によって画質が調整された映像を、表示装置２に送信を開始する。また、送信部１２は、受信部１３が表示装置２に対する映像の送信を停止させる送信停止信号を受信すると、映像制御装置４によって画質が調整された映像の表示装置２への送信を停止する。
【００５１】
送信部１２は、映像を映像制御装置４に送信する場合、表示装置２に映像を送信しているか否かにかかわらず、最高画質の映像を映像制御装置４に送信する。また、送信部１２は、表示装置２に映像を送信している旨を示す送信通知情報を映像制御装置４に送信する。
画質調整部１４は、画質制御部４３の制御に応じて、第１の実施形態と同様に、表示装置２に送信する映像の画質を調整する。
【００５２】
続いて、映像制御装置４が備える機能について説明する。図７に示すように、映像制御装置４は、受信部４１と、測定部４２と、画質制御部４３と、送信部４４と、記憶部４５とを備える。
【００５３】
受信部４１は、複数の撮影装置１から送信された最高画質の映像を受信する。受信部４１は、受信した映像を記憶部４５に記憶させる。
測定部４２は、受信部４１が受信した映像の受信量に基づいて、複数の撮影装置１から送信された複数の映像のトラヒック量を測定する。具体的には、測定部４２は、表示装置２に映像を送信している旨を示す送信通知情報を送信した撮影装置１から受信した映像の受信量に基づいて、トラヒック量を測定する。１台の撮影装置１から映像制御装置４に送信された映像のトラヒックと、表示装置２に送信された映像のトラヒックとは、関連しているので、映像制御装置４が測定したトラヒック量に基づいて、表示装置２に表示されている複数の映像のトラヒック量を予測することができる。
【００５４】
画質制御部４３は、測定部４２が測定したトラヒック量に基づいて、複数の撮影装置１が表示装置２に送信する映像の画質を制御する。具体的には、画質制御部２６は、測定されたトラヒック量が、第２の閾値を所定時間以上継続して超えたか否かを判定する。そして、画質制御部２６は、第２の閾値を所定時間以上継続して超えたと判定した場合、撮影装置１が表示装置２に送信する映像の画質を低く調整するための画質制御信号を生成する。そして、画質制御部２６は、送信部２７を介して、生成した画質制御信号を、表示部２４に現在表示されている映像を撮影する撮影装置１に送信する。
【００５５】
［第２の実施形態における効果］
以上のとおり、第２の実施形態に係る監視システムＳでは、測定したトラヒック量に基づいて撮影装置１が撮影する映像の画質を調整し、自動的にトラヒック量を低減することができる。さらに、映像制御装置４に、最高の画質の映像を記憶部４５に記憶するので、リアルタイムに映像を確認できなかった場合であっても、記憶部４５に記憶されている映像を参照して確認することができる。また、第２の実施形態に係る監視システムＳでは、映像制御装置４において、撮影装置１が撮影する映像の画質を制御するので、表示装置２における処理負荷を軽減して、表示装置２においてさらに安定的に映像を表示させることができる。
【００５６】
＜第３の実施形態＞
［映像制御装置４が表示装置２に映像を送信する］
続いて、第３の実施形態について説明する。第３の実施形態は、映像制御装置４が撮影装置１から映像を受信し、当該映像の画質を調整して表示装置２に映像を送信する点で第２の実施形態と異なり、その他の点では同じである。
【００５７】
［撮影装置１、表示装置２及び映像制御装置４の構成例］
図８は、第３の実施形態に係る撮影装置１、表示装置２及び映像制御装置４の機能構成図である。図８では、ルータ３及びネットワークＮを省略して説明を行う。
【００５８】
複数の撮影装置１は、撮影部１１と、送信部１２とを備える。映像制御装置４は、受信部４１と、測定部４２と、画質制御部４３と、送信部４４と、記憶部４５とを備える。
撮影装置１の送信部１２は、撮影部１１が撮影した映像を映像制御装置４に送信する。ここで、送信部１２が映像制御装置４に送信する映像は、最高画質の映像である。
【００５９】
映像制御装置４の受信部４１は、複数の撮影装置１から送信された映像を受信し、当該映像を記憶部４５に記憶させる。また、受信部４１は、表示装置２から、複数の撮影装置１が撮影した映像のそれぞれに対応する、表示装置２に対する映像の送信を開始させる送信開始信号と、表示装置２に対する映像の送信を停止させる送信停止信号とを受信する。ここで、送信開始信号及び送信停止信号には、送信の開始又は停止の対象の映像を特定する映像識別情報が含まれている。
【００６０】
測定部４２は、受信部４１が表示装置２から受信した送信開始信号に含まれている映像識別情報に基づいて、表示装置２に表示されている映像を特定する。測定部４２は、撮影装置１から受信した当該映像のうち、特定された映像に係るトラヒック量を測定する。
【００６１】
画質制御部４３は、測定部４２が測定したトラヒック量に基づいて、表示装置２に送信する映像の画質を制御する。具体的には、画質制御部４３は、受信部４１が表示装置２から受信した送信開始信号に含まれている映像識別情報に基づいて、表示装置２に表示されている映像を特定する。画質制御部４３は、当該映像の画質を調整する。ここで、画質制御部４３は、例えば、受信部４１が記憶部４５に記憶した映像を抽出し、当該映像の画質を調整する。
送信部４４は、画質が調整された映像を表示装置２に送信する。
【００６２】
表示装置２の受信部２１は、映像制御装置４によって画質が制御された映像を受信する。表示制御部２３は、受信した映像を表示部２４の表示画面を分割した分割画面に表示させる。
【００６３】
［第３の実施形態における効果］
以上のとおり、第３の実施形態に係る監視システムＳでは、映像制御装置４において映像の画質を調整するので、撮影装置１において画質調整機能を省略することができ、撮影装置１のコストを低減することができる。
【００６４】
以上、本発明を実施の形態を用いて説明したが、本発明の技術的範囲は上記実施の形態に記載の範囲には限定されない。上記実施の形態に、多様な変更又は改良を加えることが可能であることが当業者に明らかである。
【００６５】
例えば、上述した実施形態では、複数の撮影装置１とルータ３とが店舗に設置されており、表示装置２が監視施設に設置されているものとして説明したが、これに限らない。例えば、複数の撮影装置１と表示装置２とが同一の施設に設置され、ルータ３を介して通信可能に接続されていてもよい。
【符号の説明】
【００６６】
１・・・撮影装置、１１・・・撮影部、１２・・・送信部、１３・・・受信部、１４・・・画質調整部、２・・・表示装置、２１・・・受信部、２２・・・測定部、２３・・・表示制御部、２４・・・表示部、２５・・・操作部、２６・・・画質制御部、２７・・・送信部、３・・・ルータ、４・・・映像制御装置、４１・・・受信部、４２・・・測定部、４３・・・画質制御部、４４・・・送信部、４５・・・記憶部、Ｎ・・・ネットワーク、Ｓ・・・監視システム
【図１】
2015005843.tif 000003
【図２】
2015005843.tif 000004
【図３】
2015005843.tif 000005
【図４Ａ】
2015005843.tif 000006
【図４Ｂ】
2015005843.tif 000007
【図５】
2015005843.tif 000008
【図６】
2015005843.tif 000009
【図７】
2015005843.tif 000010
【図８】
2015005843.tif 000011